(57)【要約】【課題】タッチパネルにおけるスクロール量の指定において、第１の位置から第２の位置までの距離によって定まるスクロール量を停止時間に応じて減少させるようにした情報処理装置を提供する。【解決手段】情報処理装置の受付手段は、表示装置に対する操作を受け付け、有効化手段は、表示装置に対して予め定められた領域に対する操作を検知した場合、スクロール操作の第１の操作体系から第２の操作体系を有効化し、第１の算出手段は、第１の位置から第２の位置までの距離に基づいて、スクロール量を算出し、第２の算出手段は、第１の位置と第２の位置との位置関係に基づいて、スクロールの方向を算出し、減少手段は、第２の位置に停止している時間に応じて、スクロール量の変化量を減少させ、実行手段は、スクロール実行の操作を検知した場合は、スクロール量、スクロール方向に基づいて、スクロールを実行する。【選択図】図１
2015184742.tif 000002
【特許請求の範囲】
【請求項１】
表示装置に対する操作を受け付ける受付手段と、
前記表示装置に対して予め定められた領域に対する操作を検知した場合、スクロール操作の第１の操作体系から第２の操作体系を有効化する有効化手段と、
前記有効化のための操作が行われた第１の位置から該操作以降に行われた操作であって前記表示装置に対する操作が行われた第２の位置までの距離に基づいて、スクロール量を算出する第１の算出手段と、
前記第１の位置と前記第２の位置との位置関係に基づいて、スクロールの方向を算出する第２の算出手段と、
前記第２の位置に停止している時間に応じて、前記スクロール量の変化量を減少させる減少手段と、
スクロール実行の操作を検知した場合は、前記スクロール量、前記スクロール方向に基づいて、スクロールを実行する実行手段
を具備することを特徴とする情報処理装置。
【請求項２】
前記実行手段によるスクロールの実行前に、前記スクロール量、前記スクロール方向に基づいてスクロールを行った場合のスクロール先に関する情報を前記表示装置に表示する表示手段
をさらに具備することを特徴とする請求項１に記載の情報処理装置。
【請求項３】
前記第２の算出手段は、前記第２の位置から前記第１の位置へと向かう方向をスクロール方向とする
ことを特徴とする請求項１又は２に記載の情報処理装置。
【請求項４】
前記第１の位置から前記第２の位置まで引き延ばされ、該第２の位置から該第１の位置に戻る方向が前記スクロール方向であることを示す表示を行う第２の表示手段
をさらに具備することを特徴とする請求項３に記載の情報処理装置。
【請求項５】
前記第１の算出手段は、算出したスクロール量がスクロールの限界値以上となった場合は、該スクロール量を該限界値とする
ことを特徴とする請求項１から４のいずれか一項に記載の情報処理装置。
【請求項６】
コンピュータを、
表示装置に対する操作を受け付ける受付手段と、
前記表示装置に対して予め定められた領域に対する操作を検知した場合、スクロール操作の第１の操作体系から第２の操作体系を有効化する有効化手段と、
前記有効化のための操作が行われた第１の位置から該操作以降に行われた操作であって前記表示装置に対する操作が行われた第２の位置までの距離に基づいて、スクロール量を算出する第１の算出手段と、
前記第１の位置と前記第２の位置との位置関係に基づいて、スクロールの方向を算出する第２の算出手段と、
前記第２の位置に停止している時間に応じて、前記スクロール量の変化量を減少させる減少手段と、
スクロール実行の操作を検知した場合は、前記スクロール量、前記スクロール方向に基づいて、スクロールを実行する実行手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、情報処理装置のＧＵＩのさらなる操作性の向上を実現することを課題とし、情報処理装置は、表示部の任意の位置に対するドラッグ操作を取得する操作部と、前記ドラッグ操作の移動量を拡大補正する移動量補正部と、前記拡大補正された移動量に応じて前記表示部における表示をスクロールさせる表示制御部と、を含み、ドラッグ操作の移動量が拡大補正されることによって、ドラッグ操作の移動量よりも表示のスクロール量の方が大きくなり、したがってドラッグ操作によって大きなスクロールを実行することが容易になることが開示されている。
【先行技術文献】
【特許文献】
【０００３】
【特許文献１】特開２０１２−２３０４３７号公報
【発明の概要】
【発明が解決しようとする課題】
【０００４】
本発明は、タッチパネルにおけるスクロール量の指定において、第１の位置から第２の位置までの距離によって定まるスクロール量を停止時間に応じて減少させるようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、表示装置に対する操作を受け付ける受付手段と、前記表示装置に対して予め定められた領域に対する操作を検知した場合、スクロール操作の第１の操作体系から第２の操作体系を有効化する有効化手段と、前記有効化のための操作が行われた第１の位置から該操作以降に行われた操作であって前記表示装置に対する操作が行われた第２の位置までの距離に基づいて、スクロール量を算出する第１の算出手段と、前記第１の位置と前記第２の位置との位置関係に基づいて、スクロールの方向を算出する第２の算出手段と、前記第２の位置に停止している時間に応じて、前記スクロール量の変化量を減少させる減少手段と、スクロール実行の操作を検知した場合は、前記スクロール量、前記スクロール方向に基づいて、スクロールを実行する実行手段を具備することを特徴とする情報処理装置である。
【０００６】
請求項２の発明は、前記実行手段によるスクロールの実行前に、前記スクロール量、前記スクロール方向に基づいてスクロールを行った場合のスクロール先に関する情報を前記表示装置に表示する表示手段をさらに具備することを特徴とする請求項１に記載の情報処理装置である。
【０００７】
請求項３の発明は、前記第２の算出手段は、前記第２の位置から前記第１の位置へと向かう方向をスクロール方向とすることを特徴とする請求項１又は２に記載の情報処理装置である。
【０００８】
請求項４の発明は、前記第１の位置から前記第２の位置まで引き延ばされ、該第２の位置から該第１の位置に戻る方向が前記スクロール方向であることを示す表示を行う第２の表示手段をさらに具備することを特徴とする請求項３に記載の情報処理装置である。
【０００９】
請求項５の発明は、前記第１の算出手段は、算出したスクロール量がスクロールの限界値以上となった場合は、該スクロール量を該限界値とすることを特徴とする請求項１から４のいずれか一項に記載の情報処理装置である。
【００１０】
請求項６の発明は、コンピュータを、表示装置に対する操作を受け付ける受付手段と、前記表示装置に対して予め定められた領域に対する操作を検知した場合、スクロール操作の第１の操作体系から第２の操作体系を有効化する有効化手段と、前記有効化のための操作が行われた第１の位置から該操作以降に行われた操作であって前記表示装置に対する操作が行われた第２の位置までの距離に基づいて、スクロール量を算出する第１の算出手段と、前記第１の位置と前記第２の位置との位置関係に基づいて、スクロールの方向を算出する第２の算出手段と、前記第２の位置に停止している時間に応じて、前記スクロール量の変化量を減少させる減少手段と、スクロール実行の操作を検知した場合は、前記スクロール量、前記スクロール方向に基づいて、スクロールを実行する実行手段として機能させるための情報処理プログラムである。
【発明の効果】
【００１１】
請求項１の情報処理装置によれば、タッチパネルにおけるスクロール量の指定において、第１の位置から第２の位置までの距離によって定まるスクロール量を停止時間に応じて減少させることができる。
【００１２】
請求項２の情報処理装置によれば、スクロールの実行前に、スクロール量、スクロール方向に基づいてスクロールを行った場合のスクロール先に関する情報を表示することができる。
【００１３】
請求項３の情報処理装置によれば、第２の位置から第１の位置へと向かう方向をスクロール方向とすることができる。
【００１４】
請求項４の情報処理装置によれば、第１の位置から第２の位置まで引き延ばされ、第２の位置から第１の位置に戻る方向がスクロール方向であることがわかる。
【００１５】
請求項５の情報処理装置によれば、算出したスクロール量がスクロールの限界値以上となった場合は、そのスクロール量を限界値とすることができる。
【００１６】
請求項６の情報処理プログラムによれば、タッチパネルにおけるスクロール量の指定において、第１の位置から第２の位置までの距離によって定まるスクロール量を停止時間に応じて減少させることができる。
【図面の簡単な説明】
【００１７】
【図１】本実施の形態の構成例についての概念的なモジュール構成図である。
【図２】本実施の形態による処理例を示すフローチャートである。
【図３】本実施の形態による処理例を示すフローチャートである。
【図４】本実施の形態による処理例を示すフローチャートである。
【図５】本実施の形態による処理例を示すフローチャートである。
【図６】本実施の形態による処理例を示す説明図である。
【図７】本実施の形態による処理例を示す説明図である。
【図８】本実施の形態による処理例を示す説明図である。
【図９】本実施の形態による処理例を示す説明図である。
【図１０】本実施の形態による処理例を示す説明図である。
【図１１】本実施の形態を実現するコンピュータのハードウェア構成例を示すブロック図である。
【発明を実施するための形態】
【００１８】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に一対一に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００１９】
本実施の形態である情報処理装置１００は、表示装置におけるスクロール量を指定するものであって、図１の例に示すように、指示位置検出モジュール１１０、機能有効化検出モジュール１１５、有効化位置記憶モジュール１２０、移動方向算出モジュール１２５、スクロール予定方向算出モジュール１３０、移動量算出モジュール１３５、スクロール予定量算出モジュール１４０、指示位置遷移記憶モジュール１４５、停止状態判定モジュール１５０、停止時間測定モジュール１５５、スクロール予定位置表示モジュール１６０、スクロール指示モジュール１６５を有している。情報処理装置１００は、本実施の形態によるスクロールモードが有効化された状態を起点として、その起点からの操作の移動量と停止時間に応じて、スクロール量を調整するものである。
情報処理装置１００は、表示装置を備えている。表示装置としては、例えば、液晶ディスプレイ、プラズマディスプレイ、プロジェクタ等が含まれる。以下、操作者の位置指定の操作を受け付けるタッチパネルとしての表示装置を例示して説明する。スクロールとは、一般的に、表示装置以上の表示領域を必要とする表示対象がある場合に、その表示対象を上下左右に移動させる処理である。また、表示対象（スクロール対象）としては、例えば、１次元リスト、文書、動画等の映像等が含まれる。以下、タッチパネル上に表現される１次元リストを例示して説明する。
【００２０】
指示位置検出モジュール１１０は、機能有効化検出モジュール１１５、移動方向算出モジュール１２５、移動量算出モジュール１３５、指示位置遷移記憶モジュール１４５と接続されている。指示位置検出モジュール１１０は、機能有効化検出モジュール１１５、移動方向算出モジュール１２５、指示位置遷移記憶モジュール１４５に指示位置１１１を渡す。指示位置検出モジュール１１０は、表示装置に対する操作を受け付ける。具体的には、操作者が表示装置に対する操作をした場合の指示位置を受け付ける。ここで、指示位置とは、操作者が指示している位置のことである。例えば、タッチパネルでは、操作者が指、ペン等を用いて、タッチパネルに触れている位置がこれに相当する。
【００２１】
機能有効化検出モジュール１１５は、指示位置検出モジュール１１０、有効化位置記憶モジュール１２０と接続されている。機能有効化検出モジュール１１５は、指示位置検出モジュール１１０から指示位置１１１を受け取る。機能有効化検出モジュール１１５は、表示装置に対して予め定められた領域に対する操作を検知した場合、スクロール操作の第１の操作体系から第２の操作体系を有効化する。スクロール操作の第１の操作体系とは、いわゆる一般的な（通常の）スクロールモードをいう。スクロール操作の第２の操作体系とは、本実施の形態によるスクロール機能で実現されるスクロールモードをいう。一般的なスクロールモードと本実施の形態によるスクロールモードを共存させるため、表示装置に対して予め定められた領域に対する操作を検知した場合は、本実施の形態によるスクロールモードに移行し、それ以外の場合は、一般的なスクロールモードとなる。一般的なスクロールモードとは、本実施の形態によるスクロールモード以外のスクロールの操作体系であれば、どのような操作体系であってもよい。一般的なスクロールモードとして、例えば、表示装置内の表示領域（ウィンドウともいわれる）において、右端、下端等に表示されるスクロールバー内のスクロールバースライダーを移動する操作が行われた場合、その操作にあわせて表示対称を移動することによってスクロールを行えるようにする操作体系がある。
「予め定められた領域に対する操作」として、例えば、表示装置において表示されているスクロールバー端又はスクロールバースライダー端等に対する接触操作が該当する。
【００２２】
有効化位置記憶モジュール１２０は、機能有効化検出モジュール１１５、移動方向算出モジュール１２５、移動量算出モジュール１３５と接続されている。有効化位置記憶モジュール１２０は、移動方向算出モジュール１２５と移動量算出モジュール１３５に有効化位置１２１を渡す。有効化位置記憶モジュール１２０は、機能有効化検出モジュール１１５によって検出された第２の操作体系への有効化の操作が行われた時点での指示位置を有効化位置１２１として記憶する。この有効化位置１２１は開始点となり、移動量を算出するために必要である。
【００２３】
移動方向算出モジュール１２５は、指示位置検出モジュール１１０、有効化位置記憶モジュール１２０、スクロール予定方向算出モジュール１３０と接続されている。移動方向算出モジュール１２５は、指示位置検出モジュール１１０から指示位置１１１を、有効化位置記憶モジュール１２０から有効化位置１２１を受け取り、スクロール予定方向算出モジュール１３０に移動方向１２６を渡す。移動方向算出モジュール１２５は、有効化位置１２１（第１の位置）と現在の指示位置１１１（第２の位置）とに基づいて、移動方向１２６を算出す。例えば、有効化位置１２１から現在の指示位置１１１に向かう方向（角度）を移動方向１２６とする。なお、第１の位置から第２の位置までは、タッチパネルから指が離れていないこと（接触が検知された状態が続いていること）を必要としてもよい。つまり、第２の位置とは、第１の位置から指を離さずに接触している位置（現在の位置）としてもよい。
スクロール予定方向算出モジュール１３０は、移動方向算出モジュール１２５、スクロール予定位置表示モジュール１６０と接続されている。スクロール予定方向算出モジュール１３０は、移動方向算出モジュール１２５から移動方向１２６を受け取り、スクロール予定位置表示モジュール１６０に予定方向１３１を渡す。スクロール予定方向算出モジュール１３０は、第１の位置と第２の位置との位置関係に基づいて、スクロールの方向を算出する。具体的には、有効化位置１２１（第１の位置）が縦方向のスクロールバー領域（具体的には、右端の領域）にある場合は、移動方向１２６から上方向（一次元リストであると遡る方向）又は下方向（一次元リストであると進む方向）であるかを判断して、予定方向１３１を決定する。有効化位置１２１（第１の位置）が横方向のスクロールバー領域（具体的には、下端の領域）にある場合は、移動方向１２６から右方向又は左方向であるかを判断して、予定方向１３１を決定する。具体的には、スクロール予定方向算出モジュール１３０は、第２の位置（現在の指示位置１１１）から第１の位置（有効化位置１２１）へと向かう方向をスクロール方向とするようにしてもよい。また、スクロール予定方向算出モジュール１３０は、第１の位置（有効化位置１２１）から第２の位置（現在の指示位置１１１）へと向かう方向をスクロール方向とするようにしてもよい。
【００２４】
移動量算出モジュール１３５は、指示位置検出モジュール１１０、有効化位置記憶モジュール１２０、スクロール予定量算出モジュール１４０と接続されている。移動量算出モジュール１３５は、指示位置検出モジュール１１０から指示位置１１１を、有効化位置記憶モジュール１２０から有効化位置１２１を受け取り、スクロール予定量算出モジュール１４０に移動量１３６を渡す。移動量算出モジュール１３５は、有効化位置１２１（第１の位置）と現在の指示位置１１１（第２の位置）とに基づいて、移動量１３６を算出す。例えば、有効化位置１２１から現在の指示位置１１１までの距離を移動量１３６とする。ここでの距離は、直線距離であってもよいし、経路距離（有効化位置１２１から現在の指示位置１１１までに要した実際の移動距離）としてもよいし、Ｘ軸又はＹ軸方向のみでの距離であってもよい。なお、第１の位置から第２の位置までは、タッチパネルから指が離れていないこと（接触が検知された状態が続いていること）を必要としてもよい。つまり、第２の位置とは、第１の位置から指を離さずに接触している位置（現在の位置）としてもよい。
【００２５】
スクロール予定量算出モジュール１４０は、移動量算出モジュール１３５、停止時間測定モジュール１５５、スクロール予定位置表示モジュール１６０と接続されている。スクロール予定量算出モジュール１４０は、移動量算出モジュール１３５から移動量１３６を、停止時間測定モジュール１５５から停止時間１５６を受け取り、スクロール予定位置表示モジュール１６０に予定量１４１を渡す。スクロール予定量算出モジュール１４０は、有効化のための操作が行われた第１の位置（有効化位置１２１）から、その操作以降に行われた操作であって表示装置に対する操作が行われた第２の位置（現在の指示位置１１１）までの距離に基づいて、スクロール量（予定量１４１）を算出する。なお、ここで算出するスクロール量は、スクロール実行の操作が行われる前にあっては、その時点における予定スクロール量である。スクロール実行の操作が行われた時点におけるスクロール量が確定したスクロール量である。ここでスクロール量とは、表示対象における表示装置に表示している部分の移動する量をいう。例えば、予め定められたスクロール単位量と移動量１３６を乗算して、スクロール量を算出するようにしてもよい。また、表示対象の全体量をスクロールバーの長さに対応させて、移動量１３６に応じたスクロール量を算出するようにしてもよい。より具体的には、表示対象の全体量をスクロールバーの長さで除算して単位長さ当たりのスクロール量を算出し、移動量１３６にその単位長さ当たりのスクロール量を乗算してスクロール量を算出するようにしてもよい。
そして、スクロール予定量算出モジュール１４０は、第２の位置に停止している時間（停止時間１５６）に応じて、スクロール量の変化量を減少させる。停止時間１５６に応じて、移動量に対するスクロール予定量の変化を小さくする。ここでの変化量は、前述の単位量に相当する。つまり、停止前に比べると、停止後は指示位置１１１を変化させても、その変化量は少なくなる。したがって、微細な指示に切り替えたことになる。また、それは指示位置１１１を停止させる（タッチパネルの場合は接触している指を動かさない）ことによって、その前の操作からシームレスに切り替えている。
また、スクロール予定量算出モジュール１４０は、算出したスクロール量がスクロールの限界値以上となった場合は、そのスクロール量をその限界値とするようにしてもよい。これによって、スクロール領域端への移動機能を実現する。スクロールの限界値とは、表示対象の端をいう。例えば、限界値以上とは、スクロール量が、上方向へのスクロールであれば先頭領域以上に上の領域を指し示す値となった場合、下方向へのスクロールであれば最後尾領域以下に下の領域を指し示す値となった場合等をいう。そして、限界値以上となった場合は、予定量１４１をその限界値の値とする。前述の例では、予定量１４１を、上方向へのスクロールであれば先頭領域を示す値、下方向へのスクロールであれば最後尾領域を示す値とする。
【００２６】
指示位置遷移記憶モジュール１４５は、指示位置検出モジュール１１０、停止状態判定モジュール１５０と接続されている。指示位置遷移記憶モジュール１４５は、指示位置検出モジュール１１０から指示位置１１１を受け取り、停止状態判定モジュール１５０に指示位置の遷移１４６を渡す。指示位置遷移記憶モジュール１４５は、指示位置検出モジュール１１０が検出した指示位置１１１を時系列で記憶する。例えば、指示位置検出モジュール１１０が指示位置１１１を検知した時間とともに記憶してもよい。
停止状態判定モジュール１５０は、指示位置遷移記憶モジュール１４５、停止時間測定モジュール１５５と接続されている。停止状態判定モジュール１５０は、指示位置遷移記憶モジュール１４５から指示位置の遷移１４６を受け取り、停止時間測定モジュール１５５に指示位置の遷移１４６を渡す。停止状態判定モジュール１５０は、指示位置１１１の変化の遷移から、停止状態を判断する。停止状態と判断した場合は、指示位置の遷移１４６を停止時間測定モジュール１５５に渡す。停止状態であるか否かの判断は、例えば、指示位置１１１の移動が予め定められた範囲内に含まれている場合に停止状態と判断する。
停止時間測定モジュール１５５は、スクロール予定量算出モジュール１４０、停止状態判定モジュール１５０と接続されている。停止時間測定モジュール１５５は、停止状態判定モジュール１５０から指示位置の遷移１４６を受け取り、スクロール予定量算出モジュール１４０に停止時間１５６を渡す。停止時間測定モジュール１５５は、指示位置の遷移１４６から、その位置に停止していた時間を計測する。
【００２７】
スクロール予定位置表示モジュール１６０は、スクロール予定方向算出モジュール１３０、スクロール予定量算出モジュール１４０、スクロール指示モジュール１６５と接続されている。スクロール予定位置表示モジュール１６０は、スクロール予定方向算出モジュール１３０から予定方向１３１を、スクロール予定量算出モジュール１４０から予定量１４１を受け取る。スクロール予定位置表示モジュール１６０は、スクロール指示モジュール１６５によるスクロールの実行前に、スクロール量、スクロール方向に基づいてスクロールを行った場合のスクロール先に関する情報を表示装置に表示する。つまり、スクロール予定位置表示モジュール１６０は、スクロール予定位置を可視化するものである。表示対象が一次元リストである場合は、例えば、後述する図８に示す予定移動先表示アイテム８５０のように、リスト番号を表示するようにしてもよいし、表示対象が文書である場合は、ページ数を表示するようにしてもよい。また、スクロール先の表示内容の縮小画像（サムネイル）を表示するようにしてもよい。
また、スクロール予定位置表示モジュール１６０は、第１の位置から第２の位置まで引き延ばされ、その第２の位置からその第１の位置に戻る方向がスクロール方向であることを示す表示を行うようにしてもよい。いわゆるゴムひもを引く又は弓を引くような形態等のアイテムを表示する。つまり、移動量に応じて、ゴムひもが引っ張られる又は弓の弦を引くような形態とする。例えば、後述する図８に示すスクロール移動量表示アイテム８３０のような形態、又は図９に示すスクロール移動量表示アイテム９３０のような形態のアイテムを表示する。
スクロール指示モジュール１６５は、スクロール予定位置表示モジュール１６０と接続されている。スクロール指示モジュール１６５は、スクロール実行の操作を検知した場合は、スクロール量（予定量１４１）、スクロール方向（予定方向１３１）に基づいて、スクロールを実行する。なお、「スクロール実行の操作」としては、例えば、第２の位置から指を離すこと（第２の位置に対する接触がなくなったこと）が該当する。もちろんのことながら、スクロールが実行された後は、表示装置には、スクロール先の領域の内容を表示し、スクロール予定位置表示モジュール１６０が表示していたスクロール先に関する情報、第１の位置から第２の位置まで引き延ばされたことを示す形態のアイテムは、削除する。
【００２８】
図２は、本実施の形態による処理例を示すフローチャートである。指示位置１１１から、機能を有効化するかどうかを判定する。有効化する場合、後に移動量を算出するため、この時点での指示位置１１１を記憶しておく。ここでの機能とは、前述の第２の操作体系（本実施の形態によるスクロールモード）である。
ステップＳ２０２では、指示位置検出モジュール１１０は、指示位置１１１を検出する。
ステップＳ２０４では、機能有効化検出モジュール１１５は、機能有効化の条件を満たしたか否かを判断し、満たした場合はステップＳ２０６へ進み、それ以外の場合は満たすまで待機する。機能有効化の条件として、例えば、前述したように、指示位置１１１がスクロールバーの位置、又はスクロールバースライダーの端の位置となった場合が該当する。
ステップＳ２０６では、有効化位置記憶モジュール１２０は、指示位置１１１を記憶する。ここでの指示位置１１１は、機能有効化の条件を満たした時点での指示位置１１１である。ここで記憶された指示位置１１１が、スクロール量指定の開始位置となる。
【００２９】
図３は、本実施の形態による処理例を示すフローチャートである。これは、図２の例に示したフローチャートにおいて機能有効化された後の処理である。
ステップＳ３０２では、指示位置検出モジュール１１０は、指示位置１１１を検出する。ここでの、指示位置１１１は、例えば、タッチパネルから指を離さずに開始位置の指示位置１１１（ステップＳ２０６で記憶された指示位置１１１）から、指を移動した場合の指示位置１１１である。
ステップＳ３０４では、指示位置遷移記憶モジュール１４５は、指示位置１１１を記憶する。複数回分の指示位置１１１を記憶するようにしてもよい。
ステップＳ３０６では、停止状態判定モジュール１５０は、過去数回分の指示位置が誤差範囲内であるか否かを判断し、誤差範囲内である場合はステップＳ３９９（停止時間測定処理、図４の例に示すフローチャート）へ進み、それ以外の場合はステップＳ３０２へ戻る。「過去数回分」とは、現在の時点から過去方向に、予め定められた回数分（予め定められた期間であってもよい）をいう。誤差範囲とは、指示位置１１１の値が変動している場合であっても、タッチパネルに接触している指が停止していると判断できるような移動は、停止と判断し得る範囲をいう。
【００３０】
図４は、本実施の形態による処理例を示すフローチャートである。これは、図３の例に示したフローチャートにおいて停止時間の測定が開始された後の処理である。指示位置の遷移から、停止時間を測定する。この値は、移動量に対するスクロール予定量の変化率（変化量）に反映される。
ステップＳ４０２では、指示位置検出モジュール１１０は、指示位置１１１を検出する。
ステップＳ４０４では、停止時間測定モジュール１５５は、過去数回分の指示位置が誤差範囲内であるか否かを判断し、誤差範囲内である場合はステップＳ４０２へ戻り、それ以外の場合はステップＳ４０６へ進む。ステップＳ３０６と同様の処理をするものである。ただし、停止が解除された場合、例えば、誤差範囲より大きく移動した場合、指がタッチパネルから離れた場合等では、停止時間を計算する処理を行う。
ステップＳ４０６では、停止時間測定モジュール１５５は、停止時間を計算する。具体的には、ステップＳ４０４でＮｏと判断した時刻とステップＳ３０６でＹｅｓと判断した時刻との差分である。
【００３１】
図５は、本実施の形態による処理例を示すフローチャートである。これは、図２の例に示したフローチャートにおいて機能有効化された後の処理である。したがって、図３、図４の例に示したフローチャートと並列的に処理される。機能有効化直後の指示位置（ステップＳ２０６で記憶した指示位置１１１）と現在の指示位置１１１、停止時間１５６からスクロール予定位置を算出し、操作者に提示する。スクロール実行の条件を満たした時点で、予定位置を確定してスクロールを実行する。
ステップＳ５０２では、指示位置検出モジュール１１０は、指示位置１１１を検出する。
ステップＳ５０４では、移動量算出モジュール１３５は、移動量１３６を算出する。
ステップＳ５０６では、移動方向算出モジュール１２５は、移動方向１２６を算出する。そして、スクロール予定方向算出モジュール１３０は、移動方向１２６から予定方向１３１を算出する。
ステップＳ５０８では、スクロール予定量算出モジュール１４０は、停止時間１５６を取得する。そして、スクロール予定量算出モジュール１４０は、移動量１３６、停止時間１５６から予定量１４１を算出する。
ステップＳ５１０では、スクロール予定位置表示モジュール１６０は、予定量１４１、予定方向１３１から、スクロール予定位置を算出する。
ステップＳ５１２では、スクロール予定位置表示モジュール１６０は、スクロール予定位置を可視化する。
ステップＳ５１４では、スクロール指示モジュール１６５は、スクロール実行の条件を満たしているか否かを判断し、満たしている場合はステップＳ５１６へ進み、それ以外の場合はステップＳ５０２へ戻る。
ステップＳ５１６では、スクロール指示モジュール１６５は、スクロールを実行する。
【００３２】
図６から図１０は、本実施の形態による処理例を示す説明図である。これは、情報処理装置１００の表示装置としてタッチパネルを採用し、表示対象として一次元リストの例を示したものである。
図６は、表示装置６００内のファイルリスト表示領域６１０に一次元リストが表示されている例を示している。この例では、「ＬｉｓｔＩｔｅｍ４９９３」以前、又は「ＬｉｓｔＩｔｅｍ５０００」以後を表示しようとすると、スクロールが必要となる。また、現在表示されている部分（「ＬｉｓｔＩｔｅｍ４９９４」から「ＬｉｓｔＩｔｅｍ４９９９」）の、一次元リストの全体の中の位置付けを示すものとしてスクロールバースライダー６２０が表示されている。ここで、一般的なスクロールモードの場合は、ファイルリスト表示領域６１０内を指でタッチしてスクロールしたい方向にドラッグする。例えば、「ＬｉｓｔＩｔｅｍ４９９３」以前を表示したい場合は、下方向にドラッグし、「ＬｉｓｔＩｔｅｍ５０００」以後を表示したい場合は、上方向にドラッグする操作となる。また、例えば、「ＬｉｓｔＩｔｅｍ２０００」を表示したい場合は、複数回のドラッグ操作が必要となる。
【００３３】
図７は、機能有効化の操作の例を示すものである。例えば、機能有効化の操作として、表示装置６００の右端にあるスクロール端領域７９０に指７１０が接触する操作を示したものである。また、スクロールバースライダー６２０の端を指７１０が接触した操作を、機能有効化の操作としてもよい。機能有効化の操作が行われた時点での指７１０の位置が、有効化位置記憶モジュール１２０によって記憶される有効化位置１２１である。
この後、指７１０を表示装置６００から離さずに移動する操作が行われる。例えば、移動幅７２０程度の範囲では、停止していると判断してもよい。
【００３４】
図８は、機能有効化の後であって、スクロール量、スクロール方向を指定している操作の例を示すものである。例えば、スクロール方向として上方向であって、「ＬｉｓｔＩｔｅｍ２０００」の近辺を表示したいとする。また、機能有効化の操作を行った際の指７１０の位置を開始位置８１０とする。操作者は、指７１０を開始位置８１０から移動方向８４０に移動させて、停止位置８２０で停止させたとする。これは、上方向（停止位置８２０から開始位置８１０へ向かう方向）へのスクロールを指示しているものであり、その移動量は現在の表示位置から「ＬｉｓｔＩｔｅｍ２０００」への移動するだけの量である。これらは、スクロール予定量算出モジュール１４０、スクロール予定方向算出モジュール１３０によって算出された予定量１４１、予定方向１３１で定まる。そして、スクロール予定位置表示モジュール１６０は、それらの情報から、予定移動先表示アイテム８５０ａ、予定移動先表示アイテム８５０ｂ、予定移動先表示アイテム８５０ｃを表示して、現在の移動量では「ＬｉｓｔＩｔｅｍ２０００」にスクロールする予定である旨を示す。また、停止時間が長くなると、その停止位置から移動した場合のスクロール量の変化量（指７１０の移動距離に対するスクロール量の変化量）は、停止前の変化量よりも少なくなる。これは、スクロール予定量算出モジュール１４０が停止時間１５６に応じて、変化量を減少させたものである。したがって、操作者は、停止前は大きなスクロール量の指定を行い、停止後は、そのスクロール量を微調整するような操作を行える。そして、停止時間に応じて、変化量が少なくなるので、より微調整をしたい場合は停止時間を長くすればよい。
また、スクロール移動量表示アイテム８３０のような表示を行うようにしてもよい。これは、開始位置８１０の位置（この例の場合は、開始位置８１０のＹ座標）と現在の指７１０の位置を示すものであり、スクロール移動量表示アイテム８３０の端を開始位置８１０に固定して表示し、指７１０の移動に合わせて、スクロール移動量表示アイテム８３０の線部分を長く又は短く表示したものであり、例えば、ゴムひも又は弓の弦を模した表示を行う。また、スクロールバースライダー６２０を矢のように見立ててスクロールバースライダー６２０が現在の指定されたスクロール量で（前述の弦のたわみ具合によって）移動する位置を予定移動先表示アイテム８５０ｂで示すようにしてもよい。
【００３５】
図９は、図８と同様に、機能有効化の後であって、スクロール量、スクロール方向を指定している操作の例を示すものである。この例では、スクロール移動量表示アイテム８３０にデザインを施して、より見ばえのするものとしたものである。開始位置９１０がリスト間の境界線に近い場合は、その境界線をスクロール移動量表示アイテム９３０として、境界線の一部がゴムひものようにスクロール移動量表示アイテム９３０まで延びて、スクロール量の指定ができるようにしてもよい。
【００３６】
図１０は、スクロール処理の表示例を示すものである。図８又は図９の例に示す状態から、指７１０を表示装置６００から離す操作が、スクロール実行の操作であって、その場合のスクロール処理の実行結果例を図１０は示している。ファイルリスト表示領域６１０内は、「ＬｉｓｔＩｔｅｍ２０００」と中心として、その前後のリスト項目を表示しており、スクロールバースライダー６２０は、図８の例に示した予定移動先表示アイテム８５０ｂの位置まで移動している。
【００３７】
なお、本実施の形態としてのプログラムが実行されるコンピュータのハードウェア構成は、図１１に例示するように、一般的なコンピュータであり、具体的にはパーソナルコンピュータ、サーバーとなり得るコンピュータ等である。つまり、具体例として、処理部（演算部）としてＣＰＵ１１０１を用い、記憶装置としてＲＡＭ１１０２、ＲＯＭ１１０３、ＨＤ１１０４を用いている。ＨＤ１１０４として、例えばフラッシュメモリ、ハードディスク等を用いてもよい。指示位置検出モジュール１１０、機能有効化検出モジュール１１５、移動方向算出モジュール１２５、スクロール予定方向算出モジュール１３０、移動量算出モジュール１３５、スクロール予定量算出モジュール１４０、停止状態判定モジュール１５０、停止時間測定モジュール１５５、スクロール予定位置表示モジュール１６０、スクロール指示モジュール１６５等のプログラムを実行するＣＰＵ１１０１と、そのプログラムやデータを記憶するＲＡＭ１１０２と、本コンピュータを起動するためのプログラム等が格納されているＲＯＭ１１０３と、補助記憶装置であるＨＤ１１０４と、キーボード、マウス、タッチパネル等に対する利用者の操作に基づいてデータを受け付ける受付装置１１０６と、ＣＲＴ、液晶ディスプレイ等の出力装置１１０５と、ネットワークインタフェースカード等の通信ネットワークと接続するための通信回線インタフェース１１０７、そして、それらをつないでデータのやりとりをするためのバス１１０８により構成されている。これらのコンピュータが複数台互いにネットワークによって接続されていてもよい。
【００３８】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図１１に示すハードウェア構成は、１つの構成例を示すものであり、本実施の形態は、図１１に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図１１に示すシステムが複数互いに通信回線によって接続されていて互いに協調動作するようにしてもよい。また、特に、パーソナルコンピュータの他、情報家電、複写機、ファックス、スキャナ、プリンタ、複合機（スキャナ、プリンタ、複写機、ファックス等のいずれか２つ以上の機能を有している画像処理装置）などに組み込まれていてもよい。
【００３９】
前述の実施の形態においては、タッチパネルを例示して説明したが、３次元空間に拡大してもよい。表示対象が３次元空間を表現したものであって、カメラや利用者の筋電位等から算出された３次元空間上に表現される指示位置１１１を用いて、予定量１４１、予定方向１３１に反映して、スクロール量を決定するようにしてもよい。また、地磁気を検知する電子コンパス、傾きを検知する加速度センサー、ジャイロスコープ、近接センサー、輝度センサー等を用いて、現在の指示位置１１１を検知するようにしてもよい。
また、前述の実施の形態の説明において、予め定められた値等との比較において、「以上」、「以下」、「より大きい」、「より小さい（未満）」としたものは、その組み合わせに矛盾が生じない限り、それぞれ「より大きい」、「より小さい（未満）」、「以上」、「以下」としてもよい。
【００４０】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ（登録商標）  Ｄｉｓｃ）、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００４１】
１００…情報処理装置
１１０…指示位置検出モジュール
１１１…指示位置
１１５…機能有効化検出モジュール
１２０…有効化位置記憶モジュール
１２１…有効化位置
１２５…移動方向算出モジュール
１２６…移動方向
１３０…スクロール予定方向算出モジュール
１３１…予定方向
１３５…移動量算出モジュール
１３６…移動量
１４０…スクロール予定量算出モジュール
１４１…予定量
１４５…指示位置遷移記憶モジュール
１４６…指示位置の遷移
１５０…停止状態判定モジュール
１５５…停止時間測定モジュール
１５６…停止時間
１６０…スクロール予定位置表示モジュール
１６５…スクロール指示モジュール
【図１】
2015184742.tif 000003
【図２】
2015184742.tif 000004
【図３】
2015184742.tif 000005
【図４】
2015184742.tif 000006
【図５】
2015184742.tif 000007
【図６】
2015184742.tif 000008
【図７】
2015184742.tif 000009
【図８】
2015184742.tif 000010
【図９】
2015184742.tif 000011
【図１０】
2015184742.tif 000012
【図１１】
2015184742.tif 000013